(57)【特許請求の範囲】
【請求項１】
石柱の側面あるいは裏面部分に墓誌が刻まれ、石柱を縦方向にくり抜き加工して上部が開口し底部が閉じられた空洞の正面部分に開口が形成され、この開口に開閉自在で光を透過する扉が取り付けられ、空洞の底部にろうそく立てが配置され、ろうそく立ての後に熱遮蔽板が立設され、熱遮蔽板の背部に板塔婆を収納する板塔婆収納部が形成され、石柱の底部が基台に結合され、石柱上部に嵌合自在の石蓋が設けられ、石柱の上部に排気口が形成されていることを特徴とする墓の灯火用石碑。
【発明の詳細な説明】
【０００１】
【発明の属する技術分野】
本発明は、墓の周りに配置される灯籠、墓碑あるいは板塔婆収納の役目をする石柱からなる墓の灯火用石碑に関する。
【０００２】
【従来の技術】
墓は、図４の従来の墓の配置図に示すように、墓石１４の周りに、墓碑１５、灯籠１６、板塔婆立て１７等が配置されている。墓碑１５には個人の位階勲、没年月日、事跡等の墓誌を刻む、灯籠１６には火を灯す、板塔婆立て１７には板塔婆１１を立てるというそれぞれに役目をもっている。
【０００３】
なお、ろうそくが消えないようにした墓前用燭台が特開平１１−１１１０１１号公報に、墓前用灯籠が特開平１０−２５９２７号公報に記載されている。
【０００４】
【発明が解決しようとする課題】
しかし、従来の通常の墓は、場所が狭く、墓石の周りに、墓碑、灯籠、ろうそく立て、板塔婆立てなどを配置するものが多いために墓を造るのに費用が掛かかり、また場所が狭いので、配置が複雑になり掃除しにくく、清潔に保ちにくいという欠点があった。
【０００５】
また、墓前の灯籠は、ろうそくを入れるようにはなっているが、手間がかかり風雨で火が消えるので、殆どの人は墓石の正面の狭い場所にろうそくを灯すため、流油して墓を汚しており、火を灯すことなくただ型式的に建立しているものに過ぎず、灯明の役目を果たしていない。
【０００６】
また、法要などで板塔婆立てに立てた板塔婆が風で墓石回りに散乱して墓の周りを汚しているという欠点もある。
【０００７】
また、前記公報に記載のものは、単にろうそくが消えないようにしただけのものである。
【０００８】
そこで、本発明は、灯籠、墓碑あるいは板塔婆立ての役目をすることができる墓の灯火用石碑を提供するものである。
【０００９】
【課題を解決するための手段】
本発明の灯火用石碑は、石柱の側面あるいは裏面部分に墓誌が刻まれ、石柱を縦方向にくり抜き加工して上部が開口し底部が閉じられた空洞の正面部分に開口が形成され、この開口に開閉自在で光を透過する扉が取り付けられ、空洞の底部にろうそく立てが配置され、ろうそく立ての後に熱遮蔽板が立設され、熱遮蔽板の背部に板塔婆を収納する板塔婆収納部が形成され、石柱の底部が基台に結合され、石柱上部に嵌合自在の石蓋が設けられ、石柱の上部に排気口が形成されていることを特徴とする。
【００１０】
【発明の実施の形態】
図１（ａ）は本発明の灯火用石碑の石蓋の正面図、（ｂ）は灯火用石碑の石柱の平面図、（ｃ）は石柱の縦断面図、（ｄ）は石柱の扉を開いた状態を示す正面図、図２は石柱に石蓋を被せた状態を示す断面図、（ｂ）は灯火用石碑の斜視図である。
【００１１】
御影石などの石柱１を縦方向にくり抜き加工して上部が開口し、底部が閉じられた空洞２を形成する。さらに、空洞２の正面部分に縦方向に開口２ａを形成する。石柱１の側面あるいは裏面部分１ａには従来の墓碑に刻んでいる戒名・俗名・年月日、事跡等の墓誌を刻むことができる。
【００１２】
なお、本実施例では、石柱１は四角柱であるが、円柱や多角形柱あるいはその他の形状に形成してもよく、また空洞２の断面は、円形であるが、丸形あるいは多角形に形成してもよい。
【００１３】
空洞２の底部にはろうそく立て１０が配置される。ろうそく立て１０は、後ろに熱遮蔽板１０ａが立設され、熱遮蔽板１０ａの背部に板塔婆１１を収納できるように板塔婆収納部２ａの空間を形成する。熱遮蔽板１０ａにより、ろうそく立て１０の背後に形成された板塔婆収納部２ａにろうそくの熱が伝達するのを防止することができる。ろうそく立て１０にはろうそく１２が流油しないように廃物皿を設置するとよい。また、空洞２の上部には、ろうそくによる空洞内の熱気を外に逃がすために排気口９を設ける。
【００１４】
石柱１の正面部分の開口２ａには、ろうそく１２に点火するためと風雨からろうそく１２を守るため扉５を設置する。扉枠はステンレスなどの錆びにくい材質とし、扉１２の扉板壁７には光を透過する透明ガラス板、すりガラス板あるいはアクリル板などを使用し、扉５には取手６を設ける。本実施例では、扉５は片開きであるが、両開きにしてもよい。
【００１５】
石柱１はその底部が基台３とボルト・ナット４で結合される。この結合により安定性を高めて固定することができるので、石柱１が強風などにより転倒するのを防止することができる。
【００１６】
石柱１の上部は空洞２から風雨が入るのを防ぐため石蓋８を被せる。石蓋８の底部は石柱１の上部の開口内にはまり込むように形成する。
【００１７】
図３は本発明の灯火用石碑を配置した墓の全体図である。本発明を適用した墓では、従来の墓に配置されている灯籠、墓碑に代えて本発明の灯火用石碑１３を任意の位置に配置する。この配置により墓が簡素化され、掃除もし易くなり、墓を清潔に保つことができる。板塔婆１１は使用後に板塔婆収納部２ｂに収納するので、従来のように風などで散乱することもない。
【００１８】
【発明の効果】
本発明によれば、従来の灯籠、墓碑、板塔婆の収納を一つにまとめたので、整理された且つローコストの墓となる。また、石造物内を空洞にし正面に扉、上部に石蓋を被せることで、ろうそくの火を風雨から守ることができ、また、板塔婆の収納もでき、側面等には戒名などの墓誌を入れて墓碑としても使用できるので、整理された墓にすることができる。
【００１９】
本発明の灯火用石碑により、灯籠、墓碑を一つにまとめ、更に散乱しやすい板塔婆を収納できるようにしたので、狭い場所の複雑さがなくなって墓回りが簡素になり、清潔にまとまりのある整った墓に仕上げることができるとともに、墓全体を美しく保つことができ、また、墓回りが簡素になって掃除がしやすくなり、板塔婆が散乱することもないので清潔に保つことができる。
【００２０】
従来の墓誌は、戒名等の追加の場合に工場へ持ち帰る際、重量があるため、運搬作業に手間が掛かっていたが、本発明では、石造物内を空洞にすることで軽量化され運搬作業が楽になる。
【図面の簡単な説明】
【図１】  （ａ）は本発明の灯火用石碑の石蓋の正面図、（ｂ）は灯火用石碑の石柱の平面図、（ｃ）は石柱の縦断面図、（ｄ）は石柱の扉を開いた状態を示す正面図
【図２】  本発明の灯火用石碑の石柱に石蓋を被せた状態を示す断面図、（ｂ）は灯火用石碑の斜視図である。
【図３】  本発明の灯火用石碑を配置した墓の全体図である。
【図４】  従来の墓の全体図である。
【符号の説明】
１：石柱  １ａ：側面、裏面部分  ２：空洞  ２ａ：開口  ２ｂ：板塔婆収納部３：基台  ４：ボルト・ナット  ５：扉  ６：取手  ７：扉板壁  ８：石蓋  ９：排気口  １０：ろうそく立て  １０ａ：熱遮蔽板  １１：板塔婆  １２：ろうそく  １３：灯火用石碑  １４：墓石  １５：墓碑  １６：灯籠  １７：板塔婆立て
【図１】
0003881556.tif 000002
【図２】
0003881556.tif 000003
【図３】
0003881556.tif 000004
【図４】
0003881556.tif 000005